(57)【特許請求の範囲】
【請求項１】
一又は複数の基地局装置と一の基地局制御装置との間で交換されるメッセージを分析するメッセージ分析装置であり、
一の前記基地局装置と当該基地局装置のカバレッジ内に在る一のユーザ装置との関連付けの開始を示す関連付け開始メッセージと、
一の前記基地局装置と当該基地局装置のカバレッジ内に在る一のユーザ装置との関連付けの解放を示す関連付け解放メッセージと、
を収集するメッセージ収集部と、
前記収集された関連付け開始メッセージから、当該関連付け開始メッセージの交換時刻情報と、一の前記基地局装置のカバレッジ内に在る一のユーザ装置の端末識別情報と、当該端末識別情報で特定されるユーザ装置と当該基地局装置との関連付けを示す基地局・端末関連付け識別情報と、を取得し、
前記収集された関連付け解放メッセージから、当該関連付け解放メッセージの交換時刻情報と、一の前記基地局装置と当該基地局装置のカバレッジ内に在る一のユーザ装置との関連付けを示す基地局・端末関連付け識別情報と、を取得する、
メッセージ解析部と、
前記取得された交換時刻情報、端末識別情報及び基地局・端末関連付け識別情報に基づいて、端末識別情報毎に、前記収集された関連付け開始メッセージと関連付け解放メッセージとを対応付けるメッセージ対応付け部と、
を備えたメッセージ分析装置。
【請求項２】
前記メッセージ収集部は、
前記基地局制御装置の管理下にある一のユーザ装置と前記基地局制御装置との関連付けを示す関連付け情報メッセージと、
前記基地局制御装置の管理下にある一のユーザ装置と前記基地局装置との関連付けの変更を示す関連付け変更メッセージと、
をさらに収集し、
前記メッセージ解析部は、
前記収集された関連付け情報メッセージから、当該関連付け情報メッセージの交換時刻情報と、前記基地局制御装置の管理下にある一のユーザ装置と前記基地局制御装置との関連付けを示す端末・基地局制御装置関連付け識別情報と、を取得し、
前記関連付け変更メッセージから、当該関連付け変更メッセージの交換時刻情報と、前記基地局制御装置の管理下にある一のユーザ装置についての関連付け変更先の前記基地局装置の基地局識別情報である変更先基地局識別情報と、当該ユーザ装置と前記基地局制御装置との関連付けを示す端末・基地局制御装置関連付け識別情報と、当該変更先基地局識別情報で特定される前記基地局装置と当該ユーザ装置との関連付けを示す基地局・端末関連付け識別情報と、を取得し、
前記メッセージ対応付け部は、
前記取得された交換時刻情報、端末識別情報、基地局・端末関連付け識別情報、変更先基地局識別情報及び端末・基地局制御装置関連付け識別情報に基づいて、端末識別情報毎に、前記収集された関連付け開始メッセージと関連付け解放メッセージとを対応付ける、
請求項１に記載のメッセージ分析装置。
【請求項３】
前記メッセージ収集部は、
一の前記基地局装置と当該基地局装置のカバレッジ内に在る一のユーザ装置と前記基地局制御装置との関連付けを示す関連付け情報メッセージ、をさらに収集し、
前記メッセージ解析部は、
前記収集された関連付け情報メッセージから、一の前記基地局装置と当該基地局装置のカバレッジ内に在る一のユーザ装置と前記基地局制御装置との基地局・端末・基地局制御装置関連付け情報を取得し、
前記メッセージ対応付け部は、
前記関連付け情報メッセージから取得された交換時刻情報及び基地局・端末・基地局制御装置関連付け情報にも基づいて、端末識別情報毎に、前記収集された関連付け開始メッセージと関連付け解放メッセージとを対応付ける、
請求項１又は２のいずれか１項に記載のメッセージ分析装置。
【請求項４】
前記対応付けられた関連付け開始メッセージと関連付け解放メッセージの各交換時刻情報に基づいた関連付け開始から関連付け解放までの経過時間に基づいて、該当するユーザ装置の動作状態を判定するユーザ装置状態管理部、
をさらに備えた請求項１から３のいずれか１項に記載のメッセージ分析装置。
【請求項５】
一又は複数の基地局装置と一の基地局制御装置との間で交換されるメッセージを分析するメッセージ分析方法であり、
メッセージ分析装置が、
一の前記基地局装置と当該基地局装置のカバレッジ内に在る一のユーザ装置との関連付けの開始を示す関連付け開始メッセージと、
一の前記基地局装置と当該基地局装置のカバレッジ内に在る一のユーザ装置との関連付けの解放を示す関連付け解放メッセージと、
を収集し、
前記メッセージ分析装置が、
前記収集された関連付け開始メッセージから、当該関連付け開始メッセージの交換時刻情報と、一の前記基地局装置のカバレッジ内に在る一のユーザ装置の端末識別情報と、当該端末識別情報で特定されるユーザ装置と当該基地局装置との関連付けを示す基地局・端末関連付け識別情報と、を取得し、
前記収集された関連付け解放メッセージから、当該関連付け解放メッセージの交換時刻情報と、一の前記基地局装置と当該基地局装置のカバレッジ内に在る一のユーザ装置との関連付けを示す基地局・端末関連付け識別情報と、を取得し、
前記メッセージ分析装置が、
前記取得された交換時刻情報、端末識別情報及び基地局・端末関連付け識別情報に基づいて、端末識別情報毎に、前記収集された関連付け開始メッセージと関連付け解放メッセージとを対応付ける、
メッセージ分析方法。
【請求項６】
一又は複数の基地局装置と一の基地局制御装置との間で交換されるメッセージの分析を行うためのコンピュータプログラムであって、
一の前記基地局装置と当該基地局装置のカバレッジ内に在る一のユーザ装置との関連付けの開始を示す関連付け開始メッセージと、
一の前記基地局装置と当該基地局装置のカバレッジ内に在る一のユーザ装置との関連付けの解放を示す関連付け解放メッセージと、
を収集するメッセージ収集機能と、
前記収集された関連付け開始メッセージから、当該関連付け開始メッセージの交換時刻情報と、一の前記基地局装置のカバレッジ内に在る一のユーザ装置の端末識別情報と、当該端末識別情報で特定されるユーザ装置と当該基地局装置との関連付けを示す基地局・端末関連付け識別情報と、を取得し、
前記収集された関連付け解放メッセージから、当該関連付け解放メッセージの交換時刻情報と、一の前記基地局装置と当該基地局装置のカバレッジ内に在る一のユーザ装置との関連付けを示す基地局・端末関連付け識別情報と、を取得する、
メッセージ解析機能と、
前記取得された交換時刻情報、端末識別情報及び基地局・端末関連付け識別情報に基づいて、端末識別情報毎に、前記収集された関連付け開始メッセージと関連付け解放メッセージとを対応付けるメッセージ対応付け機能と、
をコンピュータに実現させるためのコンピュータプログラム。
【発明の詳細な説明】
【技術分野】
【０００１】
本発明は、メッセージ分析装置、メッセージ分析方法およびコンピュータプログラムに関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）で標準化作業が進められているＬＴＥ（Ｌｏｎｇ  Ｔｅｒｍ  Ｅｖｏｌｕｔｉｏｎ）と呼ばれる無線通信サービス（ＬＴＥサービス）が知られている（例えば、非特許文献１参照）。ＬＴＥサービスを提供する一般のテレコミュニケーションネットワーク（ＬＴＥネットワーク）では、一台のＭＭＥ（Ｍｏｂｉｌｉｔｙ  Ｍａｎａｇｅｍｅｎｔ  Ｅｎｔｉｔｙ：基地局制御装置）に対して、多数のｅＮｏｄｅＢ（基地局装置）を収容している。また、各ｅＮｏｄｅＢでは、多数のユーザ装置（ＵＥ：Ｕｓｅｒ  Ｅｑｕｉｐｍｅｎｔ）を収容している。このため、各ｅＮｏｄｅＢと一台のＭＭＥを相互接続する各Ｓ１−ＭＭＥインタフェースでは、各ｅＮｏｄｅＢに収容されている多数のユーザ装置に関わる膨大な数のデータ・パケットが流れている。これらＳ１−ＭＭＥインタフェース上のデータ・パケットは、各ユーザ装置の状態変化（アタッチ、ハンドオフ、アイドル状態への遷移など）を契機に発生する。そして、そのＳ１−ＭＭＥインタフェースでは、多数のユーザ装置のデータ・パケットが入れ混じった状態で観測される。この観測された個々のデータ・パケットから、直接、ユーザ装置を特定することや、ユーザ装置の状態を特定することはできない。
【０００３】
特許文献１には、ＬＴＥネットワークにおけるデータ・パケットのモニタリング方法の従来技術の一例が記載されている。特許文献１の従来技術では、Ｓ１−ＭＭＥインタフェースにおいて、暗号されて流れる一部のＮＡＳ（Ｎｏｎ  Ａｃｃｅｓｓ  Ｓｔｒａｔｕｍ）メッセージを解読する方法を示している。具体的には、ＭＭＥとＨＳＳ（Ｈｏｍｅ  Ｓｕｂｓｃｒｉｂｅｒ  Ｓｙｓｔｅｍ）を相互接続するＳ６ａインタフェース、および、ＭＭＥとＳＧＳＮ（Ｓｅｒｖｉｎｇ  ＧＰＲＳ  Ｓｕｐｐｏｒｔ  Ｎｏｄｅ）を相互接続するＳ３インタフェースのそれぞれのインタフェースを流れるデータ・パケットをモニタリング装置で捕捉し、Ｓ１−ＭＭＥインタフェースにおいて、暗号化されたＮＡＳメッセージを解読するために必要な鍵キーを捕捉し、該暗号化されたＮＡＳメッセージを解読する。これにより、ＮＡＳメッセージからユーザ装置をＩＭＳＩ（Ｉｎｔｅｒｎａｔｉｏｎａｌ  Ｍｏｂｏｌｅ  Ｓｕｂｓｃｒｉｂｅｒ  Ｉｄｅｎｔｉｆｉｅｒ）で特定し、各ユーザ単位でのセッション記録を作成することができる。
【先行技術文献】
【特許文献】
【０００４】
【特許文献１】特開２０１２−１３４９７５号公報
【非特許文献】
【０００５】
【非特許文献１】3GPP、TS 36.413 V12、“S1 Application Protocol (S1AP)”
【発明の概要】
【発明が解決しようとする課題】
【０００６】
上述した特許文献１の従来技術によれば、Ｓ１−ＭＭＥインタフェース上を流れるＮＡＳメッセージとユーザ装置との対応付けを行うことができる。しかしながら、ＮＡＳメッセージはＳ１−ＭＭＥインタフェース上を流れる制御メッセージ全体の極一部であり、ＮＡＳメッセージ以外の、Ｓ１−ＭＭＥインタフェース上を流れる大部分の制御メッセージについては、特許文献１の従来技術ではユーザ装置との対応付けを行うことができない。また、ＮＡＳメッセージだけでは、ユーザ装置の状態を把握することが難しい。
【０００７】
本発明は、このような事情を考慮してなされたものであり、基地局装置と基地局制御装置との間で交換されるメッセージとユーザ装置との対応付け範囲の拡大を図ると共にユーザ装置の状態の把握に寄与できる、メッセージ分析装置、メッセージ分析方法およびコンピュータプログラムを提供することを課題とする。
【課題を解決するための手段】
【０００８】
（１）本発明の一態様は、一又は複数の基地局装置と一の基地局制御装置との間で交換されるメッセージを分析するメッセージ分析装置であり、一の前記基地局装置と当該基地局装置のカバレッジ内に在る一のユーザ装置との関連付けの開始を示す関連付け開始メッセージと、一の前記基地局装置と当該基地局装置のカバレッジ内に在る一のユーザ装置との関連付けの解放を示す関連付け解放メッセージと、を収集するメッセージ収集部と、前記収集された関連付け開始メッセージから、当該関連付け開始メッセージの交換時刻情報と、一の前記基地局装置のカバレッジ内に在る一のユーザ装置の端末識別情報と、当該端末識別情報で特定されるユーザ装置と当該基地局装置との関連付けを示す基地局・端末関連付け識別情報と、を取得し、前記収集された関連付け解放メッセージから、当該関連付け解放メッセージの交換時刻情報と、一の前記基地局装置と当該基地局装置のカバレッジ内に在る一のユーザ装置との関連付けを示す基地局・端末関連付け識別情報と、を取得する、メッセージ解析部と、前記取得された交換時刻情報、端末識別情報及び基地局・端末関連付け識別情報に基づいて、端末識別情報毎に、前記収集された関連付け開始メッセージと関連付け解放メッセージとを対応付けるメッセージ対応付け部と、を備えたメッセージ分析装置である。
（２）本発明の一態様は、上記（１）のメッセージ分析装置において、前記メッセージ収集部は、前記基地局制御装置の管理下にある一のユーザ装置と前記基地局制御装置との関連付けを示す関連付け情報メッセージと、前記基地局制御装置の管理下にある一のユーザ装置と前記基地局装置との関連付けの変更を示す関連付け変更メッセージと、をさらに収集し、前記メッセージ解析部は、前記収集された関連付け情報メッセージから、当該関連付け情報メッセージの交換時刻情報と、前記基地局制御装置の管理下にある一のユーザ装置と前記基地局制御装置との関連付けを示す端末・基地局制御装置関連付け識別情報と、を取得し、前記関連付け変更メッセージから、当該関連付け変更メッセージの交換時刻情報と、前記基地局制御装置の管理下にある一のユーザ装置についての関連付け変更先の前記基地局装置の基地局識別情報である変更先基地局識別情報と、当該ユーザ装置と前記基地局制御装置との関連付けを示す端末・基地局制御装置関連付け識別情報と、当該変更先基地局識別情報で特定される前記基地局装置と当該ユーザ装置との関連付けを示す基地局・端末関連付け識別情報と、を取得し、前記メッセージ対応付け部は、前記取得された交換時刻情報、端末識別情報、基地局・端末関連付け識別情報、変更先基地局識別情報及び端末・基地局制御装置関連付け識別情報に基づいて、端末識別情報毎に、前記収集された関連付け開始メッセージと関連付け解放メッセージとを対応付ける、メッセージ分析装置である。
（３）本発明の一態様は、上記（１）又は（２）のいずれかのメッセージ分析装置において、前記メッセージ収集部は、一の前記基地局装置と当該基地局装置のカバレッジ内に在る一のユーザ装置と前記基地局制御装置との関連付けを示す関連付け情報メッセージ、をさらに収集し、前記メッセージ解析部は、前記収集された関連付け情報メッセージから、一の前記基地局装置と当該基地局装置のカバレッジ内に在る一のユーザ装置と前記基地局制御装置との基地局・端末・基地局制御装置関連付け情報を取得し、前記メッセージ対応付け部は、前記関連付け情報メッセージから取得された交換時刻情報及び基地局・端末・基地局制御装置関連付け情報にも基づいて、端末識別情報毎に、前記収集された関連付け開始メッセージと関連付け解放メッセージとを対応付ける、メッセージ分析装置である。
（４）本発明の一態様は、上記（１）から（３）のいずれかのメッセージ分析装置において、前記対応付けられた関連付け開始メッセージと関連付け解放メッセージの各交換時刻情報に基づいた関連付け開始から関連付け解放までの経過時間に基づいて、該当するユーザ装置の動作状態を判定するユーザ装置状態管理部、をさらに備えたメッセージ分析装置である。
【０００９】
（５）本発明の一態様は、一又は複数の基地局装置と一の基地局制御装置との間で交換されるメッセージを分析するメッセージ分析方法であり、メッセージ分析装置が、一の前記基地局装置と当該基地局装置のカバレッジ内に在る一のユーザ装置との関連付けの開始を示す関連付け開始メッセージと、一の前記基地局装置と当該基地局装置のカバレッジ内に在る一のユーザ装置との関連付けの解放を示す関連付け解放メッセージと、を収集し、前記メッセージ分析装置が、前記収集された関連付け開始メッセージから、当該関連付け開始メッセージの交換時刻情報と、一の前記基地局装置のカバレッジ内に在る一のユーザ装置の端末識別情報と、当該端末識別情報で特定されるユーザ装置と当該基地局装置との関連付けを示す基地局・端末関連付け識別情報と、を取得し、前記収集された関連付け解放メッセージから、当該関連付け解放メッセージの交換時刻情報と、一の前記基地局装置と当該基地局装置のカバレッジ内に在る一のユーザ装置との関連付けを示す基地局・端末関連付け識別情報と、を取得し、前記メッセージ分析装置が、前記取得された交換時刻情報、端末識別情報及び基地局・端末関連付け識別情報に基づいて、端末識別情報毎に、前記収集された関連付け開始メッセージと関連付け解放メッセージとを対応付ける、メッセージ分析方法である。
【００１０】
（６）本発明の一態様は、一又は複数の基地局装置と一の基地局制御装置との間で交換されるメッセージの分析を行うためのコンピュータプログラムであって、一の前記基地局装置と当該基地局装置のカバレッジ内に在る一のユーザ装置との関連付けの開始を示す関連付け開始メッセージと、一の前記基地局装置と当該基地局装置のカバレッジ内に在る一のユーザ装置との関連付けの解放を示す関連付け解放メッセージと、を収集するメッセージ収集機能と、前記収集された関連付け開始メッセージから、当該関連付け開始メッセージの交換時刻情報と、一の前記基地局装置のカバレッジ内に在る一のユーザ装置の端末識別情報と、当該端末識別情報で特定されるユーザ装置と当該基地局装置との関連付けを示す基地局・端末関連付け識別情報と、を取得し、前記収集された関連付け解放メッセージから、当該関連付け解放メッセージの交換時刻情報と、一の前記基地局装置と当該基地局装置のカバレッジ内に在る一のユーザ装置との関連付けを示す基地局・端末関連付け識別情報と、を取得する、メッセージ解析機能と、前記取得された交換時刻情報、端末識別情報及び基地局・端末関連付け識別情報に基づいて、端末識別情報毎に、前記収集された関連付け開始メッセージと関連付け解放メッセージとを対応付けるメッセージ対応付け機能と、をコンピュータに実現させるためのコンピュータプログラムである。
【発明の効果】
【００１１】
本発明によれば、基地局装置と基地局制御装置との間で交換されるメッセージとユーザ装置との対応付け範囲の拡大を図ることができる。また、ユーザ装置の状態の把握に寄与できるという効果が得られる。
【図面の簡単な説明】
【００１２】
【図１】本発明の一実施形態に係るメッセージ分析装置１の構成を示すブロック図である。
【図２】本発明の一実施形態に係るメッセージ分析装置１が適用されるＬＴＥネットワークの一例を示す概略構成図である。
【図３】本発明の一実施形態に係るメッセージ分析方法の手順を示すフローチャートである。
【図４】本発明の一実施形態に係るメッセージ分析方法の手順を示すフローチャートである。
【図５】本発明の一実施形態に係る解析対象のメッセージの種類を示す図表である。
【図６】ＬＴＥネットワークに係るプロトコルスタックの一つを示す図である。
【図７】本発明の一実施形態に係る制御メッセージのシーケンス図である。
【図８】図３に示すステップＳ１１の処理手順を示すフローチャートである。
【図９】本発明の一実施形態に係る制御メッセージの対応付けの例を示す図表である。
【図１０】本発明の一実施形態に係る制御メッセージの対応付けの例を示す図表である。
【図１１】本発明の一実施形態に係る制御メッセージの対応付けの例を示す図表である。
【図１２】本発明の一実施形態に係る制御メッセージの対応付けの例を示す図表である。
【発明を実施するための形態】
【００１３】
以下、図面を参照し、本発明の実施形態について説明する。本実施形態では、無線通信ネットワークの一例として、ＬＴＥネットワークを挙げて説明する。
【００１４】
図１は、本発明の一実施形態に係るメッセージ分析装置１の構成を示すブロック図である。図１において、メッセージ分析装置１は、メッセージ収集部１０とメッセージ解析部１２とパラメータ記憶部１４とメッセージ対応付け部１６とユーザ装置状態管理部１８を備える。メッセージ収集部１０は、解析対象のメッセージを収集する。メッセージ解析部１２は、該収集されたメッセージを解析する。パラメータ記憶部１４は、該解析の結果として得られたパラメータを記憶する。メッセージ対応付け部１６は、該記憶されたパラメータに基づいて、メッセージ収集部１０で収集されたメッセージとユーザ装置との対応付けを行う。ユーザ装置状態管理部１８は、ユーザ装置に対応付けされたメッセージに基づいて、当該ユーザ装置の動作状態の管理を行う。
【００１５】
図２は、本実施形態に係るメッセージ分析装置１が適用されるＬＴＥネットワークの一例を示す概略構成図である。図２において、ＬＴＥネットワークは、無線ネットワークとしてのｅＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ｎｅｔｗｏｒｋ）＿３０と、コアネットワークとしてのＥＰＣ（Ｅｖｏｌｖｅｄ  Ｐａｃｋｅｔ  Ｃｏｒｅ）＿４０とを有する。ｅＵＴＲＡＮ＿３０は、ｅＮｏｄｅＢ＿３２（基地局装置）を有する。ｅＮｏｄｅＢ＿３２は、自己のカバレッジ（coverage：無線通信が可能な範囲）内に在るＵＥ（ユーザ装置）＿３４と無線通信する。ＥＰＣ＿４０は、ＭＭＥ＿４２（基地局制御装置）、ＳＧＷ（Ｓｅｒｖｉｎｇ  Ｇａｔｅｗａｙ）＿４４、ＰＧＷ（ＰＤＮ：Ｐａｃｋｅｔ  ｄａｔａ  ｎｅｔｗｏｒｋ  Ｇａｔｅｗａｙ）＿４６、ＨＳＳ（Ｈｏｍｅ  Ｓｕｂｓｃｒｉｂｅｒ  Ｓｙｓｔｅｍ）＿４８など、複数の装置群よって構成されている。
【００１６】
メッセージ分析装置１は、一又は複数のｅＮｏｄｅＢ＿３２と一のＭＭＥ＿４２を相互接続する各Ｓ１−ＭＭＥインタフェースを流れるデータ・パケットを捕捉する。なお、データ・パケットとは、ＩＰ（Ｉｎｔｅｒｎｅｔ  Ｐｒｏｔｏｃｏｌ）ヘッダおよびＩＰヘッダ以降のペイロードを含むＩＰパケットのことを指す。
【００１７】
次に、本実施形態に係るメッセージ分析装置１の動作を説明する。図３および図４は、本実施形態に係るメッセージ分析方法の手順を示すフローチャートである。まず、図３を参照して、メッセージの収集および解析に係る動作を説明する。メッセージ分析装置１は、各Ｓ１−ＭＭＥインタフェースを流れるデータ・パケットを捕捉すると、図３の処理を開始する。
【００１８】
（ステップＳ１）メッセージ収集部１０は、各Ｓ１−ＭＭＥインタフェースを流れるデータ・パケットを捕捉（受信）し、該捕捉したデータ・パケットから解析対象のメッセージを収集する。ここで、本実施形態に係る解析対象のメッセージについて以下に説明する。
【００１９】
図５は、本実施形態に係る解析対象のメッセージの種類を示す図表である。本実施形態では、図５に示される４種類の制御メッセージ「初期ＵＥメッセージ（ＩｎｉｔｉａｌＵＥＭｅｓｓａｇｅ）」、「初期コンテキスト設定メッセージ（ＩｎｉｔｉａｌＣｏｎｔｅｘｔＳｅｔｕｐＭｅｓｓａｇｅ）」、「パス切替要求メッセージ（ＰａｔｈＳｗｉｔｃｈＲｅｑｕｅｓｔＭｅｓｓａｇｅ）」及び「ＵＥコンテキストリリースメッセージ（ＵＥＣｏｎｔｅｘｔＲｅｌｅａｓｅＭｅｓｓａｇｅ）」を、解析対象のメッセージとして収集する。初期ＵＥメッセージ、初期コンテキスト設定メッセージ、パス切替要求メッセージ及びＵＥコンテキストリリースメッセージは、図６に示されるＳ１−ＡＰの制御信号である。図６は、ＬＴＥネットワークに係るプロトコルスタックの一つを示す図である。Ｓ１−ＡＰの制御信号は、ｅＮｏｄｅＢ＿３２とＭＭＥ＿４２との間で交換される。Ｓ１−ＡＰの制御信号には「Ｓ１ＡＰ  ＰｒｏｃｅｄｕｒｅＣｏｄｅ」が付与されている。初期ＵＥメッセージの「Ｓ１ＡＰ  ＰｒｏｃｅｄｕｒｅＣｏｄｅ」は「１２」、初期コンテキスト設定メッセージの「Ｓ１ＡＰ  ＰｒｏｃｅｄｕｒｅＣｏｄｅ」は「９」、パス切替要求メッセージの「Ｓ１ＡＰ  ＰｒｏｃｅｄｕｒｅＣｏｄｅ」は「３」、ＵＥコンテキストリリースメッセージの「Ｓ１ＡＰ  ＰｒｏｃｅｄｕｒｅＣｏｄｅ」は「２３」である。
【００２０】
初期ＵＥメッセージは、一のｅＮｏｄｅＢ＿３２と当該ｅＮｏｄｅＢ＿３２のカバレッジ内に在る一のＵＥ＿３４との関連付けの開始を示す関連付け開始メッセージとして機能する。初期コンテキスト設定メッセージは、ＭＭＥ＿４２の管理下にある一のＵＥ＿３４と当該ＭＭＥ＿４２との関連付けを示す関連付け情報メッセージとして機能する。パス切替要求メッセージは、ＭＭＥ＿４２の管理下にある一のＵＥ＿３４とｅＮｏｄｅＢ＿３２との関連付けの変更を示す関連付け変更メッセージとして機能する。パス切替要求メッセージは、当該ＵＥ＿３４との関連付けの変更先のｅＮｏｄｅＢ＿３２から送信される。ＵＥコンテキストリリースメッセージは、一のｅＮｏｄｅＢ＿３２と当該ｅＮｏｄｅＢ＿３２のカバレッジ内に在る一のＵＥ＿３４との関連付けの解放を示す関連付け解放メッセージとして機能する。
【００２１】
図７は、初期ＵＥメッセージ、初期コンテキスト設定メッセージ、パス切替要求メッセージ及びＵＥコンテキストリリースメッセージの一連の送信順序と送信方向を示すシーケンス図である。初期ＵＥメッセージは、ｅＮｏｄｅＢ＿３２からＭＭＥ＿４２へ送信される。初期コンテキスト設定メッセージは、ＭＭＥ＿４２からｅＮｏｄｅＢ＿３２へ送信される。パス切替要求メッセージは、ｅＮｏｄｅＢ＿３２からＭＭＥ＿４２へ送信される。ＵＥコンテキストリリースメッセージは、ｅＮｏｄｅＢ＿３２からＭＭＥ＿４２へ送信される。
【００２２】
説明を図３に戻す。
（ステップＳ２）メッセージ解析部１２は、メッセージ収集部１０により収集された制御メッセージについての解析を行い、この解析の結果としてパラメータを抽出する。ここで、本実施形態に係る抽出対象のパラメータについて以下に説明する。
【００２３】
［初期ＵＥメッセージ］
初期ＵＥメッセージについて、以下のパラメータを抽出する。
（１）交換時刻情報
交換時刻情報は、当該初期ＵＥメッセージがｅＮｏｄｅＢ＿３２とＭＭＥ＿４２との間で交換された時刻を示す。具体的には、初期ＵＥメッセージが格納されていたデータ・パケットのタイムスタンプ情報に基づいて、当該初期ＵＥメッセージの交換時刻情報を取得する。
（２）送信元ＩＰアドレス
送信元ＩＰアドレスは、当該初期ＵＥメッセージを送信したｅＮｏｄｅＢ＿３２のＩＰアドレスである。具体的には、初期ＵＥメッセージが格納されていたデータ・パケットのＩＰヘッダから送信元ＩＰアドレスを取得する。
（３）ＴＭＳＩ（Ｔｅｍｐｏｒａｒｙ  Ｍｏｂｉｌｅ  Ｓｕｂｓｃｒｉｂｅｒ  Ｉｄｅｎｔｉｆｉｅｒ）パラメータ
ＴＭＳＩパラメータは、初期ＵＥメッセージから取得される。ＴＭＳＩパラメータは、当該初期ＵＥメッセージを送信したｅＮｏｄｅＢ＿３２のカバレッジ内に在る一のＵＥ＿３４に対して付与された一時的な識別子である。ＴＭＳＩパラメータは、当該ｅＮｏｄｅＢ＿３２を管理するＭＭＥ＿４２の管理下に入ったＵＥ＿３４に対して、該ＵＥ＿３４を識別するために一時的に、ＭＭＥ＿４２によって付与される。このＴＭＳＩパラメータは、ＵＥ＿３４に固有のＩＭＳＩとは異なり、一時的な識別子であるので、実際のＵＥ＿３４の特定を行うことはできない。なお、ＵＥ＿３４がはじめてＭＭＥ＿４２の管理下に入った時にはまだＴＭＳＩパラメータが付与されていないので、初期ＵＥメッセージからＴＭＳＩパラメータを取得できない。ＴＭＳＩパラメータを取得できなかった初期ＵＥメッセージについては、廃棄する。
（４）ＥＮＢ−ＵＥ−Ｓ１ＡＰ−ＩＤパラメータ
ＥＮＢ−ＵＥ−Ｓ１ＡＰ−ＩＤパラメータは、初期ＵＥメッセージから取得される。ＥＮＢ−ＵＥ−Ｓ１ＡＰ−ＩＤパラメータは、当該初期ＵＥメッセージのＴＭＳＩパラメータで特定されるＵＥ＿３４と当該初期ＵＥメッセージを送信したｅＮｏｄｅＢ＿３２との関連付けを示す基地局・端末関連付け識別情報である。
（５）セルＩＤパラメータ
セルＩＤパラメータは、初期ＵＥメッセージから取得される。セルＩＤパラメータは、当該初期ＵＥメッセージを送信したｅＮｏｄｅＢ＿３２のセルのうち、当該初期ＵＥメッセージのＴＭＳＩパラメータで特定されるＵＥ＿３４が存在するセルの識別子である。
【００２４】
［初期コンテキスト設定メッセージ］
初期コンテキスト設定メッセージについて、以下のパラメータを抽出する。
（１）交換時刻情報
交換時刻情報は、当該初期コンテキスト設定メッセージがｅＮｏｄｅＢ＿３２とＭＭＥ＿４２との間で交換された時刻を示す。具体的には、初期コンテキスト設定メッセージが格納されていたデータ・パケットのタイムスタンプ情報に基づいて、当該初期コンテキスト設定メッセージの交換時刻情報を取得する。
（２）宛先ＩＰアドレス
送宛先ＩＰアドレスは、当該初期コンテキスト設定メッセージの宛先のｅＮｏｄｅＢ＿３２のＩＰアドレスである。具体的には、初期コンテキスト設定メッセージが格納されていたデータ・パケットのＩＰヘッダから宛先ＩＰアドレスを取得する。
（３）ＭＭＥ−ＵＥ−Ｓ１ＡＰ−ＩＤパラメータ
ＭＭＥ−ＵＥ−Ｓ１ＡＰ−ＩＤパラメータは、初期コンテキスト設定メッセージから取得される。ＭＭＥ−ＵＥ−Ｓ１ＡＰ−ＩＤパラメータは、当該初期コンテキスト設定メッセージを送信したＭＭＥ＿４２の管理下にある一のＵＥ＿３４と当該ＭＭＥ＿４２との関連付けを示す端末・基地局制御装置関連付け識別情報である。
（４）ＥＮＢ−ＵＥ−Ｓ１ＡＰ−ＩＤパラメータ
ＥＮＢ−ＵＥ−Ｓ１ＡＰ−ＩＤパラメータは、初期コンテキスト設定メッセージから取得される。ＥＮＢ−ＵＥ−Ｓ１ＡＰ−ＩＤパラメータは、当該初期コンテキスト設定メッセージのＭＭＥ−ＵＥ−Ｓ１ＡＰ−ＩＤパラメータで特定される関連付けに該当するＵＥ＿３４と当該初期コンテキスト設定メッセージの宛先のｅＮｏｄｅＢ＿３２との関連付けを示す基地局・端末関連付け識別情報である。
（５）ＰＤＵパラメータ
ＰＤＵパラメータは、初期コンテキスト設定メッセージから取得される。ＰＤＵパラメータは、当該初期コンテキスト設定メッセージの送信方向を示す。ＰＤＵパラメータ「０」は処理要求を示すものであり、「１」は処理成功を示すものである。
【００２５】
［パス切替要求メッセージ］
パス切替要求メッセージについて、以下のパラメータを抽出する。
（１）交換時刻情報
交換時刻情報は、当該パス切替要求メッセージがｅＮｏｄｅＢ＿３２とＭＭＥ＿４２との間で交換された時刻を示す。具体的には、パス切替要求メッセージが格納されていたデータ・パケットのタイムスタンプ情報に基づいて、当該パス切替要求メッセージの交換時刻情報を取得する。
（２）送信元ＩＰアドレス
送信元ＩＰアドレスは、当該パス切替要求メッセージを送信したｅＮｏｄｅＢ＿３２のＩＰアドレスであって、当該パス切替要求メッセージに該当するＵＥ＿３４との関連付けの変更先のｅＮｏｄｅＢ＿３２のＩＰアドレスである。具体的には、パス切替要求メッセージが格納されていたデータ・パケットのＩＰヘッダから送信元ＩＰアドレスを取得する。
（３）ＭＭＥ−ＵＥ−Ｓ１ＡＰ−ＩＤパラメータ
ＭＭＥ−ＵＥ−Ｓ１ＡＰ−ＩＤパラメータは、パス切替要求メッセージから取得される。ＭＭＥ−ＵＥ−Ｓ１ＡＰ−ＩＤパラメータは、当該パス切替要求メッセージの宛先であるＭＭＥ＿４２の管理下にある一のＵＥ＿３４であって当該パス切替要求メッセージの関連付け変更に該当するＵＥ＿３４と、当該ＭＭＥ＿４２との関連付けを示す端末・基地局制御装置関連付け識別情報である。
（４）ＥＮＢ−ＵＥ−Ｓ１ＡＰ−ＩＤパラメータ
ＥＮＢ−ＵＥ−Ｓ１ＡＰ−ＩＤパラメータは、パス切替要求メッセージから取得される。ＥＮＢ−ＵＥ−Ｓ１ＡＰ−ＩＤパラメータは、当該パス切替要求メッセージのＭＭＥ−ＵＥ−Ｓ１ＡＰ−ＩＤパラメータで特定される関連付けに該当するＵＥ＿３４と、当該パス切替要求メッセージを送信したｅＮｏｄｅＢ＿３２との関連付けを示す基地局・端末関連付け識別情報である。
（５）セルＩＤパラメータ
セルＩＤパラメータは、パス切替要求メッセージから取得される。セルＩＤパラメータは、当該パス切替要求メッセージを送信したｅＮｏｄｅＢ＿３２のセルのうち、当該パス切替要求メッセージのＭＭＥ−ＵＥ−Ｓ１ＡＰ−ＩＤパラメータで特定される関連付けに該当するＵＥ＿３４が存在するセルの識別子である。
（６）ＰＤＵパラメータ
ＰＤＵパラメータは、パス切替要求メッセージから取得される。ＰＤＵパラメータは、当該パス切替要求メッセージの送信方向を示す。ＰＤＵパラメータ「０」は処理要求を示すものであり、「１」は処理成功を示すものである。
【００２６】
［ＵＥコンテキストリリースメッセージ］
ＵＥコンテキストリリースメッセージについて、以下のパラメータを抽出する。
（１）交換時刻情報
交換時刻情報は、当該ＵＥコンテキストリリースメッセージがｅＮｏｄｅＢ＿３２とＭＭＥ＿４２との間で交換された時刻を示す。具体的には、ＵＥコンテキストリリースメッセージが格納されていたデータ・パケットのタイムスタンプ情報に基づいて、当該ＵＥコンテキストリリースメッセージの交換時刻情報を取得する。
（２）送信元ＩＰアドレス
送信元ＩＰアドレスは、当該ＵＥコンテキストリリースメッセージを送信したｅＮｏｄｅＢ＿３２のＩＰアドレスである。具体的には、ＵＥコンテキストリリースメッセージが格納されていたデータ・パケットのＩＰヘッダから送信元ＩＰアドレスを取得する。
（３）ＥＮＢ−ＵＥ−Ｓ１ＡＰ−ＩＤパラメータ
ＥＮＢ−ＵＥ−Ｓ１ＡＰ−ＩＤパラメータは、ＵＥコンテキストリリースメッセージから取得される。ＥＮＢ−ＵＥ−Ｓ１ＡＰ−ＩＤパラメータは、当該ＵＥコンテキストリリースメッセージを送信したｅＮｏｄｅＢ＿３２と、当該ｅＮｏｄｅＢ＿３２のカバレッジ内に在る一のＵＥ＿３４との関連付けを示す基地局・端末関連付け識別情報である。
（４）ＭＭＥ−ＵＥ−Ｓ１ＡＰ−ＩＤパラメータ
ＭＭＥ−ＵＥ−Ｓ１ＡＰ−ＩＤパラメータは、ＵＥコンテキストリリースメッセージから取得される。ＭＭＥ−ＵＥ−Ｓ１ＡＰ−ＩＤパラメータは、当該ＵＥコンテキストリリースメッセージの宛先であるＭＭＥ＿４２の管理下にある一のＵＥ＿３４と、当該ＭＭＥ＿４２との関連付けを示す端末・基地局制御装置関連付け識別情報である。
（５）ＰＤＵパラメータ
ＰＤＵパラメータは、パス切替要求メッセージから取得される。ＰＤＵパラメータは、当該パス切替要求メッセージの送信方向を示す。ＰＤＵパラメータ「０」は処理要求を示すものであり、「１」は処理成功を示すものである。
【００２７】
説明を図３に戻す。
（ステップＳ３）メッセージ解析部１２は、ステップＳ２の解析の結果として得られたパラメータをパラメータ記憶部１４に記録する。パラメータ記憶部１４には、各パラメータが該取得元の制御メッセージに関連付けて記憶される。
【００２８】
次に、図４を参照して、メッセージの対応付けおよびユーザ装置状態の判定に係る動作を説明する。メッセージ分析装置１は、所定のタイミングで図４の処理を開始する。例えば、毎日一回、所定の時刻に、図４の処理を開始する。
【００２９】
（ステップＳ１１）メッセージ対応付け部１６は、パラメータ記憶部１４に記憶されているパラメータに基づいて、メッセージ収集部１０で収集された制御メッセージとＵＥ＿３４との対応付け（マッピング）を行う。この対応付けの対象の制御メッセージは、所定の期間においてメッセージ収集部１０で収集されたものである。例えば、毎日一回、所定の時刻に、図４の処理が開始される場合、前日の図４の処理分以降にメッセージ収集部１０で収集された一日分の制御メッセージが、当日の対応付けの対象となる。以下、図８を参照して、本実施形態に係る制御メッセージとＵＥ＿３４との対応付けについて説明する。図８は、図３に示すステップＳ１１の処理手順を示すフローチャートである。
【００３０】
（ステップＳ１１１）メッセージ対応付け部１６は、対応付けの対象の制御メッセージを、各交換時刻情報により交換時刻の早い順にソートする。
【００３１】
（ステップＳ１１２）メッセージ対応付け部１６は、ソート後の対応付けの対象の制御メッセージの中から、初期ＵＥメッセージを順番に選択し、各初期ＵＥメッセージの対応付けを行う。この初期ＵＥメッセージの対応付けでは、一の対応付けの対象の初期ＵＥメッセージ（対象初期ＵＥメッセージ）について、ＴＭＳＩパラメータをＵＥ＿３４の識別子として対応付けると共に、送信元ＩＰアドレスをｅＮｏｄｅＢ＿３２の識別子として対応付け、さらにＥＮＢ−ＵＥ−Ｓ１ＡＰ−ＩＤパラメータを対応付ける。これにより、「対象初期ＵＥメッセージ、ＴＭＳＩパラメータ（ＵＥ＿３４の識別子）、送信元ＩＰアドレス（ｅＮｏｄｅＢ＿３２の識別子）、ＥＮＢ−ＵＥ−Ｓ１ＡＰ−ＩＤパラメータ」という対応付けが構成される。なお、説明の便宜上、以降の処理の説明では、一の対象初期ＵＥメッセージについての処理を説明する。
【００３２】
（ステップＳ１１３）メッセージ対応付け部１６は、対象初期ＵＥメッセージよりも後の初期コンテキスト設定メッセージの中から、ＰＤＵパラメータの値が０であり、且つ、宛先ＩＰアドレス（ｅＮｏｄｅＢ＿３２）が対象初期ＵＥメッセージの送信元ＩＰアドレス（ｅＮｏｄｅＢ＿３２）と同じであり、且つ、対象初期ＵＥメッセージのＥＮＢ−ＵＥ−Ｓ１ＡＰ−ＩＤパラメータと同じＥＮＢ−ＵＥ−Ｓ１ＡＰ−ＩＤパラメータを有する、最初の初期コンテキスト設定メッセージを選択する。そして、メッセージ対応付け部１６は、対象初期ＵＥメッセージに対して、該選択された初期コンテキスト設定メッセージ（対象初期コンテキスト設定メッセージ）のＭＭＥ−ＵＥ−Ｓ１ＡＰ−ＩＤパラメータを対応付ける。これにより、「対象初期ＵＥメッセージ、ＴＭＳＩパラメータ（ＵＥ＿３４の識別子）、送信元ＩＰアドレス（ｅＮｏｄｅＢ＿３２の識別子）、ＥＮＢ−ＵＥ−Ｓ１ＡＰ−ＩＤパラメータ、ＭＭＥ−ＵＥ−Ｓ１ＡＰ−ＩＤパラメータ」という対応付けが構成される。
【００３３】
（ステップＳ１１４）メッセージ対応付け部１６は、対象初期コンテキスト設定メッセージよりも後のパス切替要求メッセージの中から、ＰＤＵパラメータの値が０であり、且つ、対象初期コンテキスト設定メッセージのＭＭＥ−ＵＥ−Ｓ１ＡＰ−ＩＤパラメータと同じＭＭＥ−ＵＥ−Ｓ１ＡＰ−ＩＤパラメータを有する、パス切替要求メッセージを全て選択する。この選択されたパス切替要求メッセージは、対象初期ＵＥメッセージに対応付けるパス切替要求メッセージの候補（候補パス切替要求メッセージ）である。
【００３４】
（ステップＳ１１５）メッセージ対応付け部１６は、対象初期コンテキスト設定メッセージよりも後のＵＥコンテキストリリースメッセージの中から、ＰＤＵパラメータの値が１であり、且つ、以下の選択条件ａ又はｂのいずれかを満たす、最初のＵＥコンテキストリリースメッセージを選択する。
【００３５】
（選択条件ａ）送信元ＩＰアドレス（ｅＮｏｄｅＢ＿３２の識別子）が対象初期ＵＥメッセージの送信元ＩＰアドレス（ｅＮｏｄｅＢ＿３２の識別子）と同じである。且つ、ＥＮＢ−ＵＥ−Ｓ１ＡＰ−ＩＤパラメータが対象初期ＵＥメッセージのＥＮＢ−ＵＥ−Ｓ１ＡＰ−ＩＤパラメータと同じであるか、又は、ＭＭＥ−ＵＥ−Ｓ１ＡＰ−ＩＤパラメータが対象初期ＵＥメッセージのＭＭＥ−ＵＥ−Ｓ１ＡＰ−ＩＤパラメータと同じである。
【００３６】
（選択条件ｂ）送信元ＩＰアドレス（ｅＮｏｄｅＢ＿３２の識別子）が対象初期ＵＥメッセージの送信元ＩＰアドレス（ｅＮｏｄｅＢ＿３２の識別子）と異なる。且つ、ＭＭＥ−ＵＥ−Ｓ１ＡＰ−ＩＤパラメータが対象初期ＵＥメッセージのＭＭＥ−ＵＥ−Ｓ１ＡＰ−ＩＤパラメータと同じである。
【００３７】
次いで、メッセージ対応付け部１６は、対象初期ＵＥメッセージと該選択されたＵＥコンテキストリリースメッセージ（対象ＵＥコンテキストリリースメッセージ）とを対応付ける。さらに、メッセージ対応付け部１６は、対象初期ＵＥメッセージから対象ＵＥコンテキストリリースメッセージまでの間に存在する候補パス切替要求メッセージを、対象パス切替要求メッセージとして、対象初期ＵＥメッセージおよび対象初期コンテキスト設定メッセージに対応付ける。これにより、「ＴＭＳＩパラメータ（ＵＥ＿３４の識別子）、対象初期ＵＥメッセージ、対象パス切替要求メッセージ、対象ＵＥコンテキストリリースメッセージ」の対応付けが構成される。なお、該当する候補パス切替要求メッセージが存在しない場合には、「ＴＭＳＩパラメータ（ＵＥ＿３４の識別子）、対象初期ＵＥメッセージ、対象ＵＥコンテキストリリースメッセージ」の対応付けが構成される。
【００３８】
説明を図４に戻す。
（ステップＳ１２，Ｓ１３，Ｓ１４）ユーザ装置状態管理部１８は、ステップＳ１１の対応付けの結果としてＴＭＳＩパラメータ（ＵＥ＿３４の識別子）に対応付けされた制御メッセージに基づいて、当該ＴＭＳＩパラメータに該当するＵＥ＿３４の動作状態を判定する。具体的には、ＴＭＳＩパラメータ（ＵＥ＿３４の識別子）に対応付けされた対象初期ＵＥメッセージおよび対象ＵＥコンテキストリリースメッセージの各交換時刻情報に基づいて、対象初期ＵＥメッセージの交換時刻から対象ＵＥコンテキストリリースメッセージの交換時刻までの経過時間Ｔを算出する（図７参照）。
【００３９】
次いで、該経過時間Ｔが所定の閾値α以上であるかを判定する（ステップＳ１２）。この結果、経過時間Ｔが閾値α以上である場合には、当該経過時間Ｔの期間における当該ＵＥ＿３４の動作状態を「アクティブ状態」であると判定する（ステップＳ１３）。一方、経過時間Ｔが閾値α未満である場合には、当該経過時間Ｔの期間における当該ＵＥ＿３４の動作状態を「アイドル状態」であると判定する（ステップＳ１３）。この動作状態判定方法は、ＬＴＥネットワークにおいて、アクティブ状態であるＵＥ＿３４が一定時間以上、継続して無通信状態である場合、当該ＵＥ＿３４がアイドル状態へ遷移することに基づいている。ＵＥ＿３４がアクティブ状態からアイドル状態へ遷移した場合、ｅＮｏｄｅＢ＿３２との関連付けが解放され、該ｅＮｏｄｅＢ＿３２からＵＥコンテキストリリースメッセージがＭＭＥ＿４２へ送信される。したがって、閾値αによって経過時間Ｔの長さを判定することにより、経過時間Ｔが長ければ当該ＵＥ＿３４が該経過時間Ｔの期間において「アクティブ状態」にあったと考えられ、逆に経過時間Ｔが短ければ当該ＵＥ＿３４が該経過時間Ｔの期間において「アイドル状態」にあったと考えられる。これにより、ユーザ装置状態管理部１８は、ＴＭＳＩパラメータ（ＵＥ＿３４の識別子）毎に、該当するＵＥ＿３４の動作状態（アクティブ状態またはアイドル状態）を管理することができる。
【００４０】
また、ユーザ装置状態管理部１８は、ＴＭＳＩパラメータ（ＵＥ＿３４の識別子）に対応付けされた対象初期ＵＥメッセージおよび対象パス切替要求メッセージのセルＩＤパラメータを管理してもよい。
【００４１】
図９〜図１２は、本実施形態に係る制御メッセージの対応付けの例を示す図表である。ここでは、制御メッセージの「Ｓ１ＡＰ  ＰｒｏｃｅｄｕｒｅＣｏｄｅ」をカッコ内に記す。
【００４２】
図９の例では、対象初期ＵＥメッセージ（１２）に対して、該対象初期ＵＥメッセージ（１２）と同じｅＮｏｄｅＢ＿３２から送信され且つ該対象初期ＵＥメッセージ（１２）と同じＥＮＢ−ＵＥ−Ｓ１ＡＰ−ＩＤパラメータを有する対象ＵＥコンテキストリリースメッセージ（２３）が対応付けられている。なお、この例において、メッセージ分析装置１が、一のｅＮｏｄｅＢ＿３２と一のＭＭＥ＿４２との間で交換されるデータ・パケットだけを捕捉する場合には、図１２に示されるように、初期コンテキスト設定メッセージ（９）なし（つまり、ＭＭＥ−ＵＥ−Ｓ１ＡＰ−ＩＤパラメータの対応付けなし）であっても、ＥＮＢ−ＵＥ−Ｓ１ＡＰ−ＩＤパラメータによって対象初期ＵＥメッセージ（１２）と対象ＵＥコンテキストリリースメッセージ（２３）との対応付けを行うことができる。
【００４３】
図１０の例は、メッセージ分析装置１が、複数のｅＮｏｄｅＢ＿３２と一のＭＭＥ＿４２との間で交換されるデータ・パケットだけを捕捉する場合である。この場合、異なるｅＮｏｄｅＢ＿３２でも同じＥＮＢ−ＵＥ−Ｓ１ＡＰ−ＩＤパラメータが使用される可能性があるので、対象初期ＵＥメッセージ（１２）に対して、対象初期コンテキスト設定メッセージ（９）のＭＭＥ−ＵＥ−Ｓ１ＡＰ−ＩＤパラメータの対応付けを行う。これにより、ＭＭＥ−ＵＥ−Ｓ１ＡＰ−ＩＤパラメータに基づいて、対象初期ＵＥメッセージ（１２）と対象ＵＥコンテキストリリースメッセージ（２３）とを対応付けることができる。
【００４４】
図１１の例は、一のＭＭＥ＿４２の管理下において、ＵＥ＿３４の関連付けの相手となるｅＮｏｄｅＢ＿３２が変更された場合である。例えば、ＵＥ＿３４が、あるｅＮｏｄｅＢ＿３２のカバレッジ内で当該ｅＮｏｄｅＢ＿３２にアタッチしてから、他のｅＮｏｄｅＢ＿３２のカバレッジ内へ移動した（ハンドオーバした）場合である。この場合、対象初期ＵＥメッセージ（１２）とは異なるｅＮｏｄｅＢ＿３２から、対象ＵＥコンテキストリリースメッセージ（２３）が送信される可能性がある。このため、対象初期ＵＥメッセージ（１２）に対して、対象初期コンテキスト設定メッセージ（９）のＭＭＥ−ＵＥ−Ｓ１ＡＰ−ＩＤパラメータの対応付けを行う。これにより、ＭＭＥ−ＵＥ−Ｓ１ＡＰ−ＩＤパラメータに基づいて、対象初期ＵＥメッセージ（１２）と対象ＵＥコンテキストリリースメッセージ（２３）とを対応付けることができる。
【００４５】
なお、ＵＥ＿３４が、第１のｅＮｏｄｅＢ＿３２のカバレッジ内で当該第１のｅＮｏｄｅＢ＿３２にアタッチしてから、他の第２のｅＮｏｄｅＢ＿３２のカバレッジ内へ移動した（ハンドオーバした）後に、再び元の第１のｅＮｏｄｅＢ＿３２のカバレッジ内へ戻った（再度ハンドオーバした）場合、第１のｅＮｏｄｅＢ＿３２におけるＥＮＢ−ＵＥ−Ｓ１ＡＰ−ＩＤパラメータとして、ハンドオーバ前の値とハンドオーバ後に戻ってきてからの値とが同じになるとは限らない。このため、対象初期ＵＥメッセージと対象ＵＥコンテキストリリースメッセージとが同じｅＮｏｄｅＢ＿３２から送信されていたとしても、双方のＥＮＢ−ＵＥ−Ｓ１ＡＰ−ＩＤパラメータが異なる可能性があるが、ＭＭＥ−ＵＥ−Ｓ１ＡＰ−ＩＤパラメータが同じであることによって、対象初期ＵＥメッセージと対象ＵＥコンテキストリリースメッセージの対応付けを行うことができる。
【００４６】
図１２の例では、対象初期ＵＥメッセージ（１２）に対して、該対象初期ＵＥメッセージ（１２）と同じｅＮｏｄｅＢ＿３２から送信され且つ該対象初期ＵＥメッセージ（１２）と同じＥＮＢ−ＵＥ−Ｓ１ＡＰ−ＩＤパラメータを有する対象ＵＥコンテキストリリースメッセージ（２３）が対応付けられている。
【００４７】
上述した実施形態によれば、Ｓ１−ＭＭＥインタフェースを流れるデータ・パケットを捕捉し、複数の種類の制御メッセージをＵＥ＿３４毎に対応付けることができる。これにより、ｅＮｏｄｅＢ＿３２とＭＭＥ＿４２との間で交換されるメッセージとＵＥ＿３４との対応付け範囲の拡大を図ることができる。さらに、ＵＥ＿３４の状態の把握に寄与できるという効果が得られる。例えば、ＵＥ＿３４がアクティブ状態であるか又はアイドル状態であるのかを把握し、ＵＥ＿３４の状態を管理することによって、例えば、アイドル状態であるＵＥ＿３４の比率を算出したりすることができる。
【００４８】
また、複数の種類の制御メッセージの対応付けの結果が通常とは異なるシーケンスを示すことを判定することによって、例えば端末ソフトウェアのバグのために異常なシーケンスを示すＵＥ＿３４を検出することができる。
【００４９】
また、Ｓ１−ＭＭＥインタフェース上には膨大な数のメッセージが流れているが、本実施形態によれば４種類の制御メッセージ「初期ＵＥメッセージ、初期コンテキスト設定メッセージ、パス切替要求メッセージ及びＵＥコンテキストリリースメッセージに限定して収集することで、解析対象のメッセージの数を大幅に削減できる。
【００５０】
以上、本発明の実施形態について図面を参照して詳述してきたが、具体的な構成はこの実施形態に限られるものではなく、本発明の要旨を逸脱しない範囲の設計変更等も含まれる。
【００５１】
例えば、上述した実施形態ではＬＴＥネットワークに適用したが、他の無線通信ネットワークに適用してもよい。
【００５２】
また、上述したメッセージ分析装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００５３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５４】
１…メッセージ分析装置、１０…メッセージ収集部、１２…メッセージ解析部、１４…パラメータ記憶部、１６…メッセージ対応付け部、１８…ユーザ装置状態管理部、３０…ｅＵＴＲＡＮ、３２…ｅＮｏｄｅＢ（基地局装置）、３４…ＵＥ（ユーザ装置）、４０…ＥＰＣ、４２…ＭＭＥ（基地局制御装置）、４４…ＳＧＷ、４６…ＰＧＷ、４８…ＨＳＳ
【図１】
0006313163.tif 000002
【図２】
0006313163.tif 000003
【図３】
0006313163.tif 000004
【図４】
0006313163.tif 000005
【図５】
0006313163.tif 000006
【図６】
0006313163.tif 000007
【図７】
0006313163.tif 000008
【図８】
0006313163.tif 000009
【図９】
0006313163.tif 000010
【図１０】
0006313163.tif 000011
【図１１】
0006313163.tif 000012
【図１２】
0006313163.tif 000013